(57)【要約】【課題】  地上波デジタルテレビジョン放送や携帯電話などの高周波信号の無線中継装置に好適に実施され、単一の伝送路の一端と分岐伝送路の一端とを接続し、各分岐伝送路に高周波信号を開閉するためのスイッチを設けるようにしたパワースイッチャブル・コンバイナ・デバイダと称される高周波電力合成または分配器において、スイッチを開成した分岐伝送線路による影響を抑える。【解決手段】  分岐伝送路Ｋ１〜Ｋ３に設けられる分岐用スイッチＳＷ１〜ＳＷ３の隅角部に面取りを施し、これらを近接配置する。したがって、前記分岐用スイッチＳＷ１〜ＳＷ３を、伝送路Ｋ０；Ｋ１〜Ｋ３の接続点６０により近接させることができ、前記分岐伝送路Ｋ１〜Ｋ３の接続点６０から分岐用スイッチＳＷ１〜ＳＷ３までの部分がオープンスタブとなることによる悪影響を最小限に止めることができる。【選択図】      図１
2005277851.tif 000002
【特許請求の範囲】
【請求項１】
単一の伝送路の一端に複数の分岐伝送路の一端が接続され、前記単一の伝送路の他端が出力端となる場合は前記分岐伝送路の他端がそれぞれ入力端となり、前記単一の伝送路の他端が入力端となる場合は前記分岐伝送路の他端がそれぞれ出力端となることで、高周波信号の電力を合成または分配するようにした高周波電力合成または分配器において、
前記各分岐伝送路に、前記単一の伝送路の一端と分岐伝送路の一端との接続点に近接して、前記高周波信号を開閉するためのスイッチを設けるにあたって、前記スイッチの隅角部に面取りを施すことを特徴とする高周波電力合成または分配器。
【請求項２】
前記スイッチは、ソレノイドと、ベースブロックとがそれぞれ個別に組立てられ、さらに前記ソレノイドが、コイルの巻設されたボビンを継鉄とカバーとで挟み込んだ構造であることを特徴とする請求項１記載の高周波電力合成または分配器。
【請求項３】
前記請求項１または２記載の高周波電力合成または分配器に、前記各分岐伝送路に個別に対応するアンプを含んで成ることを特徴とする無線中継装置。
【発明の詳細な説明】
【技術分野】
【０００１】
本発明は、地上波デジタルテレビジョン放送や携帯電話などの高周波信号の無線中継装置に好適に実施される高周波電力合成または分配器およびそれを用いる無線中継装置に関する。
【背景技術】
【０００２】
テレビジョン放送の中継局や携帯電話の基地局などでは、その高周波信号を中継するにあたって、数Ｗから数百Ｗの大きな送信電力が必要となる。そして、その大きな送信電力を得るために、また放送や電話通話には瞬断を避けなければならないことから、受信した信号は複数のアンプに分配され、それぞれで増幅された信号を合成して送信信号が作成されている。そのような用途に用いられるのが、前記分配にはデバイダと称される装置であり、前記合成にはコンバイナと称される装置である。そして、これらの装置は、単一の伝送路の一端と分岐伝送路の一端とを接続して構成されており、前記単一の伝送路の他端が出力端となる場合は前記分岐伝送路の他端がそれぞれ入力端となって前記コンバイナとなり、前記単一の伝送路の他端が入力端となる場合は前記分岐伝送路の他端がそれぞれ出力端となって前記デバイダとなり、高周波信号の入出力を入れ替えることで、共用することができるようになっている。また、不具合回路（アンプ）を切離して運用可能なように、各分岐伝送路には高周波信号を開閉するためのスイッチが設けられる。このようにして構成されるのが、パワースイッチャブル・コンバイナ・デバイダと称される高周波電力合成または分配器である。
【０００３】
図１２は、中継局の一構成例を簡単に示すブロック図である。アンテナ１０１で受信された親局や前段の中継局からの信号は、フィルタ１０２およびアンプ１０３を通してデバイダ１０４に入力され、複数ｎ系統に分配されて、前記ｎ個の信号処理回路Ｃ１，Ｃ２，‥，Ｃｎにそれぞれ入力される。ここで、地上波デジタルテレビジョン放送では、アナログのテレビジョン放送のように、各放送局が個別に中継局を設置するのではなく、共用されるようになっており、前記信号処理回路Ｃ１〜Ｃｎは、各放送局のチャネルに対応している。地上波デジタルテレビジョン放送では、従来のＵＨＦ放送の４７０〜７７０ＭＨｚの帯域が、表１で示すように、それぞれ９６ＭＨｚ（１チャネル当り６ＭＨｚ、したがって１６チャネル分）の帯域幅を有する５つの帯域に分割して使用されており、図１２の構成は、１つの帯域分の構成を表す。したがって、その中継局が複数の帯域を中継する場合には、この図１２の構成が帯域数分だけ設けられる。
【０００４】
【表１】
2005277851.tif 000003
【０００５】
前記信号処理回路Ｃ１〜Ｃｎに入力された受信信号は、前記フィルタ１０２によって帯域内の成分が濾波された後、さらに内部のフィルタで各放送局のチャネルに対応した成分が濾波され、必要な信号処理が施されて、コンバイナ・デバイダ１０５でｎチャネル分合成されるとともに、複数ｍ（図１２では３）チャネルに分配されて、アンプユニット１０６に入力される。ここで、前記デバイダ１０４およびコンバイナ・デバイダ１０５で扱われる高周波信号の電力は小さく、配線基板上で分配／合成が可能になっている。
【０００６】
アンプユニット１０６では、分配して入力された高周波信号は、スイッチＳ１，Ｓ２，Ｓ３を介してパワーアンプＡ１，Ａ２，Ａ３に入力され、それぞれ電力増幅される。電力増幅された高周波信号は、スイッチャブル・コンバイナ１０７で合成された後、アンテナ１０８から送信される。前記スイッチャブル・コンバイナ１０７は、各パワーアンプＡ１，Ａ２，Ａ３に個別に対応したスイッチＳＷ１，ＳＷ２，ＳＷ３と、コンバイナ１０９とを備えて構成されている。このスイッチャブル・コンバイナ１０７が、本発明が対象とするパワースイッチャブル・コンバイナ・デバイダである。
【０００７】
上述のように構成されるパワースイッチャブル・コンバイナ・デバイダにおいては、スイッチＳＷ１，ＳＷ２，ＳＷ３の切換えによって、伝送路のインピーダンスが変化する。前記各分岐伝送路および単一の伝送路は、インピーダンスマッチングのために１／４波長に形成されている。この伝送路およびスイッチＳＷ１，ＳＷ２，ＳＷ３のインピーダンスを、たとえば５０Ωとすると、インピーダンスＺは、下式で表すことができる。
Ｚ＝｛（５０／合成数）×５０｝1/2
【０００８】
したがって、図１２の場合には、３台のパワーアンプＡ１，Ａ２，Ａ３が正常に動作していてスイッチＳＷ１，ＳＷ２，ＳＷ３がいずれも閉成している状態から、前記パワーアンプＡ１，Ａ２，Ａ３のいずれかに故障が生じて対応するスイッチＳＷ１，ＳＷ２，ＳＷ３のいずれかがＯＦＦすると、インピーダンスＺは、２８．９Ωから、３５．４Ωに高くなる。
【０００９】
そこで、このような問題を解決するために、たとえば特許文献１に示すように、前記単一の伝送路に複数のスタブを設けて、それらを切換えて使用することが考えられる。
【特許文献１】特開平１０−２００３１３号公報
【発明の開示】
【発明が解決しようとする課題】
【００１０】
しかしながら、スイッチＳＷ１，ＳＷ２，ＳＷ３が開成した場合、そのスイッチＳＷ１，ＳＷ２，ＳＷ３からコンバイナ１０９までの分岐伝送線路はオープンスタブとなり、この部分に高周波信号の漏れが生じ、インピーダンスマッチングなどへの悪影響を及ぼすという問題がある。
【００１１】
本発明の目的は、スイッチを開成した分岐伝送線路による影響を抑えることができる高周波電力合成または分配器およびそれを用いる無線中継装置を提供することである。
【課題を解決するための手段】
【００１２】
本発明の高周波電力合成または分配器は、単一の伝送路の一端に複数の分岐伝送路の一端が接続され、前記単一の伝送路の他端が出力端となる場合は前記分岐伝送路の他端がそれぞれ入力端となり、前記単一の伝送路の他端が入力端となる場合は前記分岐伝送路の他端がそれぞれ出力端となることで、高周波信号の電力を合成または分配するようにした高周波電力合成または分配器において、前記各分岐伝送路に、前記単一の伝送路の一端と分岐伝送路の一端との接続点に近接して、前記高周波信号を開閉するためのスイッチを設けるにあたって、前記スイッチの隅角部に面取りを施すことを特徴とする。
【００１３】
上記の構成によれば、地上波デジタルテレビジョン放送や携帯電話などの高周波信号の無線中継装置に好適に実施され、単一の伝送路の一端と分岐伝送路の一端とを接続し、各分岐伝送路に高周波信号を開閉するためのスイッチを設けるようにしたパワースイッチャブル・コンバイナ・デバイダと称される高周波電力合成または分配器において、各伝送路は前記接続点を中心として放射状に延びるので、前記分岐伝送路にスイッチを設けるにあたって、前記スイッチの隅角部に面取りを施す。
【００１４】
ここで、スイッチを開放すると、その開放された分岐伝送路におけるスイッチから接続点までの部分がオープンスタブとなり、前記高周波信号の漏れが生じ、インピーダンスマッチングなどへの悪影響を及ぼすのに対して、上記のようにスイッチの隅角部に面取りを施すことで、前記スイッチを前記接続点により近接させることができ、そのような悪影響を最小限に止めることができる。
【００１５】
また、本発明の高周波電力合成または分配器では、前記スイッチは、ソレノイドと、ベースブロックとがそれぞれ個別に組立てられ、さらに前記ソレノイドが、コイルの巻設されたボビンを継鉄とカバーとで挟み込んだ構造であることを特徴とする。
【００１６】
上記の構成によれば、ソレノイド部分の側寸法を安定させることができるので、この側寸法を最小限とした上で、ベースの側面の隅角部に上述のように面取りを施すことで、最大限面取りすることができ、効果的である。
【００１７】
さらにまた、本発明の無線中継装置は、前記の高周波電力合成または分配器に、前記各分岐伝送路に個別に対応するアンプを含んで成ることを特徴とする。
【００１８】
上記の構成によれば、スイッチ開放時の悪影響を最小限に止めることができる無線中継装置を実現することができる。
【発明の効果】
【００１９】
本発明の高周波電力合成または分配器は、以上のように、地上波デジタルテレビジョン放送や携帯電話などの高周波信号の無線中継装置に好適に実施され、単一の伝送路の一端と分岐伝送路の一端とを接続し、各分岐伝送路に高周波信号を開閉するためのスイッチを設けるようにしたパワースイッチャブル・コンバイナ・デバイダと称される高周波電力合成または分配器において、各伝送路は前記接続点を中心として放射状に延びるので、前記分岐伝送路にスイッチを設けるにあたって、前記スイッチの隅角部に面取りを施す。
【００２０】
それゆえ、前記スイッチを前記接続点により近接させることができ、スイッチを開放した際にスイッチから接続点までの部分がオープンスタブとなって生じる悪影響を最小限に止めることができる。
【００２１】
さらにまた、本発明の無線中継装置は、以上のように、前記の高周波電力合成または分配器に、前記各分岐伝送路に個別に対応するアンプを含んで成る。
【００２２】
上記の構成によれば、スイッチ開放時の悪影響を最小限に止めることができる無線中継装置を実現することができる。
【発明を実施するための最良の形態】
【００２３】
［実施の形態１］
図１は、本発明の実施の第１の形態に係る高周波電力合成または分配器であるパワースイッチャブル・コンバイナ・デバイダ５１の蓋５２を取外した状態での平面図であり、図２はこのパワースイッチャブル・コンバイナ・デバイダ５１の正面図であり、図３は背面図であり、図４は右側面から見た断面図である。このパワースイッチャブル・コンバイナ・デバイダ５１は、大略的に、導電性の材料から成る前記蓋５２およびそれが組合わせられる基台５３から成る筐体５４内に、高周波電力の合成または分配用の基板５５およびその基板５５に実装されるスイッチＳＷ１，ＳＷ２，ＳＷ３；ＳＷ１１，ＳＷ１２（総称するときは、以下参照符号ＳＷで示す）を切換え制御する制御回路基板５６を収納して構成されている。
【００２４】
このパワースイッチャブル・コンバイナ・デバイダ５１は、前述の地上波デジタルテレビジョン放送用に用いられ、３つの信号の合成または分配を行う。したがって、基板５５には、単一の伝送路Ｋ０の一端に３つの分岐伝送路Ｋ１，Ｋ２，Ｋ３の一端が共通に接続され、前記単一の伝送路Ｋ０の他端が筐体５４の背面に設けられたコネクタＪ０のコネクタピンＰ０に半田付けされ、前記各分岐伝送路Ｋ１，Ｋ２，Ｋ３の他端が筐体５４の前面に設けられたコネクタＪ１，Ｊ２，Ｊ３のコネクタピンＰ１，Ｐ２，Ｐ３にそれぞれ半田付けされる。このパワースイッチャブル・コンバイナ・デバイダ５１は、前記各コネクタＪ１，Ｊ２，Ｊ３がそれぞれ入力端となり、前記コネクタＪ０が出力端となるときにはコンバイナとなり、前記各コネクタＪ１，Ｊ２，Ｊ３がそれぞれ出力端となり、前記コネクタＪ０が入力端となるときにはデバイダとなる。
【００２５】
各コネクタＪ０〜Ｊ３には、同軸ケーブルの先端に固着された接栓がネジ止め固定される。これによって、各伝送路Ｋ０〜Ｋ３はコネクタピンＰ０〜Ｐ３を介して前記同軸ケーブルの中心導体と接続され、筐体５４はＧＮＤに接続されている前記同軸ケーブルの外導体と接続される。
【００２６】
前記基板５５は、両面基板であり、表面には、前記各伝送路Ｋ０〜Ｋ３が形成されるとともに、スタブパターンＳＴ１１，ＳＴ１２；ＳＴ２１，ＳＴ２２が形成されており、残余の領域は、前記各伝送路Ｋ０〜Ｋ３およびスタブパターンＳＴ１１，ＳＴ１２；ＳＴ２１，ＳＴ２２とインピーダンスマッチングのために必要となる間隙（たとえば伝送路のパターン幅を２ｍｍとすると、前記５０Ωで０．６ｍｍ程度）を開けて、ＧＮＤパターン５７となっている。また、基板５５の裏面は、全面ＧＮＤパターンとなっており、図では省略しているけれども、表裏のＧＮＤパターン間を接続し、ＧＮＤへの接続性を向上するためのスルーホールが多数形成されている。
【００２７】
前記基板５５の裏面と、基台５３の内面との間には、ＧＮＤへの接続性を向上するために、金属塊から成る導電性プレート５８が設けられている。そして、前記スイッチＳＷ１，ＳＷ２，ＳＷ３；ＳＷ１１，ＳＷ１２は、この導電性プレート５８に搭載され、前記基板５５に形成された挿通孔Ｈ１，Ｈ２，Ｈ３；Ｈ１１，Ｈ１２から基板表面側に突出し、端子が伝送路に半田付けされている。これによって、電力通過によるスイッチの発熱を、効率的に、前記金属塊から成る導電性プレート５８に逃がすことができるとともに、スイッチベースのＧＮＤへの接続性も向上するようになっている。
【００２８】
そして、このパワースイッチャブル・コンバイナ・デバイダ５１では、伝送路Ｋ０には、取付け位置の異なる２つのグループのスタブパターンＳＴ１１，ＳＴ１２とＳＴ２１，ＳＴ２２とが、一方の側と他方の側とに、該伝送路Ｋ０から離間して形成されている。前記各分岐伝送路Ｋ１，Ｋ２，Ｋ３の接続点６０からの距離Ｗ１が近いスタブパターンＳＴ１１およびそのスタブパターンＳＴ１１から距離Ｗ２だけ離れて形成されるスタブパターンＳＴ１２は、前記地上波デジタルテレビジョン放送の５つの帯域の内、たとえば長波長側の１〜３の帯域に適応しており、接続点６０からの距離が遠いスタブパターンＳＴ２１，ＳＴ２２は、たとえば短波長側の３〜５の帯域に適応している。各スタブパターンＳＴ１１，ＳＴ１２；ＳＴ２１，ＳＴ２２には、個別に対応する挿通孔Ｈ１１，Ｈ１２；Ｈ２１，Ｈ２２が形成されており、このパワースイッチャブル・コンバイナ・デバイダ５１が適応すべき波長がどちらのグループに属するかに応じて、スタブ用スイッチＳＷ１１，ＳＷ１２が設けられる（図１では、前述のように挿通孔Ｈ１１，Ｈ１２）ことで、前記離間箇所が接続されて前記伝送路Ｋ０との接続が可能になる。また、必要に応じて３つ目のスタブ用スイッチが設けられてもよい。
【００２９】
さらに、分岐用スイッチＳＷ１，ＳＷ２，ＳＷ３の総てが閉成している、すなわち３合成または３分配のときには、前記接続点６０からの距離が近いスタブ用スイッチＳＷ１１が閉成され、前記距離が遠いスタブ用スイッチＳＷ１２が開成されてインピーダンスマッチングが行われ、前記分岐用スイッチＳＷ１，ＳＷ２，ＳＷ３のいずれか１つが開成している、すなわち２合成または２分配になってしまったときには、前記接続点６０からの距離が近いスタブ用スイッチＳＷ１１が開成され、前記距離が遠いスタブ用スイッチＳＷ１２が閉成されてインピーダンスマッチングが行われる。
【００３０】
このように、分岐用スイッチＳＷ１，ＳＷ２，ＳＷ３の開閉、すなわち合成または分配チャネル数の変更に伴って、インピーダンスマッチングのために使用／不使用が切換えられるスタブパターンＳＴ１１，ＳＴ１２；ＳＴ２１，ＳＴ２２を、地上波デジタルテレビジョン放送の２つのグループの帯域および分岐数に適応した接続位置に向けて延び、かつ適応した長さを有するように形成しておき、前記伝送路Ｋ０との接続は、前記分岐用スイッチＳＷ１，ＳＷ２，ＳＷ３の開閉に伴って開閉するスタブ用スイッチＳＷ１１，ＳＷ１２を介して行うようにし、さらにどのスタブパターンＳＴ１１，ＳＴ１２；ＳＴ２１，ＳＴ２２にスタブ用スイッチＳＷ１１，ＳＷ１２を設けるかによって、適応すべき周波数帯域のグループを変更できるようにしておくことで、前記２つのグループの帯域に対して、容易にインピーダンスマッチングを図ることができ、該パワースイッチャブル・コンバイナ・デバイダ５１の種類を増やすことなく、適応すべき（使用される）周波数にそれぞれ対応することができる。また、スタブパターンＳＴ１１，ＳＴ１２；ＳＴ２１，ＳＴ２２は、前記適応すべき周波数に対応して２組設けても、スタブ用スイッチＳＷ１１，ＳＷ１２の個数は、そのスタブパターンＳＴ１１，ＳＴ１２；ＳＴ２１，ＳＴ２２の数だけ必要になるわけではなく、共通の基板５５を使用し、最小限のスイッチ構成で、該パワースイッチャブル・コンバイナ・デバイダ５１を作製することができ、低コスト化を図ることもできる。
【００３１】
また、適応波長を２つのグループに区分し、前記伝送路Ｋ０に対して、一方の側と他方の側とに、各グループのスタブパターンＳＴ１１，ＳＴ１２；ＳＴ２１，ＳＴ２２を形成しておき、適応すべき波長がどちらのグループに属するかに応じてスタブ用スイッチＳＷ１１，ＳＷ１２を設けるだけで、簡単に作製することができる。
【００３２】
さらにまた、該パワースイッチャブル・コンバイナ・デバイダ５１では、各スタブパターンＳＴ１１，ＳＴ１２；ＳＴ２１，ＳＴ２２は、前述の５つの帯域にそれぞれ対応した長さを有し、前記伝送路Ｋ０から離反する方向に直線状に延びる矩形状の５つの部分ＳＴ１１ａ，ＳＴ１１ｂ，ＳＴ１１ｃ，ＳＴ１１ｄ，ＳＴ１１ｅ；ＳＴ１２ａ，ＳＴ１２ｂ，ＳＴ１２ｃ，ＳＴ１２ｄ，ＳＴ１２ｅ；ＳＴ２１ａ，ＳＴ２１ｂ，ＳＴ２１ｃ，ＳＴ２１ｄ，ＳＴ２１ｅ；ＳＴ２２ａ，ＳＴ２２ｂ，ＳＴ２２ｃ，ＳＴ２２ｄ，ＳＴ２２ｅに分割形成されており、前記各スイッチＳＷの半田付け時に、適応波長に対応した必要な部分だけ、半田付けや金属板を渡した半田付けを行うことで、長さ調整が可能に形成されている。あるいは、前記スタブパターンＳＴ１１，ＳＴ１２；ＳＴ２１，ＳＴ２２を予め必要最大限の長さに形成しておき、波長に対応した必要な部分を残して、残りのパターンとの境界部分のパターンを剥ぎ取り、前記残りのパターンを切離すなどして、長さ調整を行うようにしてもよい。このようにして、前記スタブ用スイッチＳＷ１１，ＳＷ１２の選択的な取付けに加えて、さらに精細に（前記２つのグループ分けだけでなく、５つの帯域のそれぞれの）高周波信号の周波数に適応することができる。なお、各スタブパターンＳＴ１１，ＳＴ１２；ＳＴ２１，ＳＴ２２の実効長さは、スタブ用スイッチＳＷ１１，ＳＷ１２部分の長さを含めて決定される。
【００３３】
一方、図５は、前記スイッチＳＷの一構成例を示す縦断面図であり、図６は、その分解斜視図である。これらの図に示すように、スイッチＳＷは、大略的に、ソレノイド１０と、ベースブロック２０とがネジＢ１でネジ止め固定されて構成されており、導電性のベース１に絶縁状態で保持される一対のコンタクト端子２ａ，２ｂに対して、前記ベース１とコンタクト端子２ａ，２ｂとの間に配置されるコンタクト４Ａがソレノイド１０によって駆動されることで開閉を行うように構成されている。
【００３４】
前記ベース１は、アルミニウム等の導電性の金属材料から成り、直方体形状の側面の隅角部に面取りが施されている。前記ベース１の上面には、図７（ａ）に示すように、長孔状に窪む凹部１ｂが長手方向に延びるように形成されているとともに、この凹部１ｂの長手方向の両脇にネジ孔１ｅが形成されている。さらに、凹部１ｂの底面中心には、上下方向に貫通する貫通孔１ｃが形成されている。
【００３５】
また、ベース１の下面には、図７（ｂ）に示すように、下方に開口して長手方向に延びる横断溝１ａが形成されているとともに、この横断溝１ａを跨ぐように円形状に窪む嵌合部１ｆが２箇所に形成されている。さらに、横断溝１ａの上面の両端付近には、有底の固定穴１ｄが一対形成されている。そして、この横断溝１ａ内に前記一対のコンタクト端子２ａ，２ｂおよびコンタクト４Ａが配置されて、その下方にはサブベース５が配設されている。
【００３６】
前記コンタクト端子２ａ，２ｂは、液晶ポリマ樹脂等の絶縁部材３ａ，３ｂにインサートモールドされている。そして、前記絶縁部材３ａ，３ｂの反対側から突出した前記コンタクト端子２ａ，２ｂの端子部２０ａ，２０ｂは、前記伝送路Ｋ０；Ｋ１，Ｋ２，Ｋ３またはスタブパターンＳＴ１１，ＳＴ１２，ＳＴ２１，ＳＴ２２の基端側の部分ＳＴ１１ａ，ＳＴ１２ａ，ＳＴ２１ａ，ＳＴ２２ａと半田付け接続される。
【００３７】
前記絶縁部材３ａ，３ｂは、前記ベース１の横断溝１ａに嵌入する形状に形成されているとともに、その上面には、前記ベース１の固定穴１ｄに嵌合する突起３ｃ、３ｄが形成されて、この突起３ｃ，３ｄが固定穴１ｄにそれぞれ圧入されることによって、コンタクト端子２ａ，２ｂがベース１に絶縁状態で保持されるようになる。
【００３８】
前記コンタクト４Ａは、図８に示すように、略短冊状のシングル接点に形成されて、その中央部分には変形の貫通孔４ａが形成されている。このコンタクト４Ａは、例えば厚み寸法が０．３〜０．６ｍｍ程度で耐熱性の高いベリリウム銅等の板材をプレスで打ち抜き加工して、金メッキが施されているものが好ましい。
【００３９】
このコンタクト４Ａは、上記打ち抜き加工によってバリが生じる側の面がコンタクト端子２ａ，２ｂ側を向くとともに、その反対側の面が前記ベース１の横断溝１ａの上面側を向くように配置される。また、このコンタクト４Ａの両端付近には、半球状の突部４ｂが、コンタクト端子２ａ，２ｂの方向に突出するようにそれぞれ打ち出し形成されている。この突部４ｂは、上記打ち抜き加工によって生じるバリの高さよりも突出する高さに設定されている。
【００４０】
前記サブベース５は、瓢箪状に形成されて、ベース１の横断溝１ａおよび嵌合部１ｆに嵌合固定されることによって、下方に開口する横断溝１ａを閉塞して、ベース１に前記保持部材３ａ，３ｂを保持固定する。
【００４１】
一方、前記ベース１の上面に形成された凹部１ｂ内には、下方から順に、カード６、カードバネ７、円柱状のカード８が配置され、凹部１ｂの底面と前記カード６との間には一対の復帰バネ９が配置されている。そして、これらの部品６〜８ならびにベース１に取付けられるソレノイド１０によってコンタクト４Ａを昇降変位させるようになっている。
【００４２】
前記カード６は、絶縁性の樹脂等で構成されて、ベース１の凹部１ｂに嵌り込む基部６ａと、この基部６ａの中央部分から下方に突出する突出部６ｂとを有して、基部６ａの下面には、突出部６ｂの両脇に下方に突出する一対の凸部６ｄが形成され、その反対側の上面には上方に突出する一対の凸部６ｅが形成されている。前記カード６の突出部６ｂは、ベース１の凹部１ｂの貫通孔１ｃから横断溝１ａ内に突出し、コンタクト４Ａの貫通孔４ａに挿通して、熱かしめ固定されるようになっている。
【００４３】
前記コンタクト４Ａの貫通孔４ａは、前記図８に示すように、四角形の一角が傾斜面に変形形成されているとともに、前記突出部６ｂの先端部分６ｃも、この形状に対応する形状に形成されている。したがって、コンタクト４Ａは表裏反対に前記突出部６ｂに挿入することができず、コンタクト４Ａの突部４ｂが下向きになることが担保されている。
【００４４】
前記カードバネ７は、平板状のバネであり、前記カード６の凸部６ｅに挿通される一対の孔７ａを有して、このカードバネ７の中央部分が前記カード８に押されるようになっている。前記前記カード８は、絶縁性の樹脂等で構成されて、ソレノイド１０の駆動力をカードバネ７に伝達する。前記復帰バネ９は、コイル状の圧縮バネであり、カード６の凸部６ｄでガイドされて、カード６を上方に付勢して、カード６の突出部６ｂに取付けられたコンタクト４Ａをベース１の横断溝１ａの上面に圧接させる。
【００４５】
前記ソレノイド１０は、ベース１のネジ孔１ｅに螺着されるネジＢ１によってベース１の上面に取付けられている。このソレノイド１０は、円柱状の可動鉄芯１１と、前記可動鉄芯１１を内部に収容する円筒状の絶縁性ボビン１２と、前記ボビン１２の側周部に導体線が巻設されたコイル１３と、可動鉄芯１１の下方に配置される固定鉄芯１４と、前記固定鉄芯１４を固定するとともにボビン１２を下方からコ字状に覆う継鉄１５と、磁石から成り、ボビン１２の上端部に嵌合する平角リング状の一対のハーフ１６と、継鉄１５の左右の上端部に嵌合されてハーフ１６を上方からコ字状に覆うプレート１７と、全体を上方からコ字状に覆うカバー１８とを備えて構成されている。
【００４６】
前記固定鉄芯１４の中心部には、貫通孔１４ａが形成されて、この貫通孔１４ａ内に前記カード８が挿入されるようになっている。そして、前記制御回路基板５６からコイル１３に相互に逆方向のパルス状の電流を流すことで、前記可動鉄芯１１は進退変位し、スイッチング状態を切換えることができる。前記可動鉄芯１１が進出すると、カード６に取付けられたコンタクト４Ａの突部４ｂがコンタクト端子２ａ，２ｂにそれぞれ接触し、スイッチは閉成する。前記可動鉄芯１１が後退すると、前記コンタクト４Ａの突部４ｂはコンタクト端子２ａ，２ｂからそれぞれ離反し、スイッチは開成する。このスイッチＳＷはラッチングリレーであり、前記コイル１３に電流が流れていないときには、前記可動鉄芯１１は前記ハーフ１６によって保持されている。
【００４７】
上述のように構成されるスイッチＳＷは、ソレノイド１０と、ベースブロック２０とがそれぞれ個別に組立てられ、さらにソレノイド１０が、コイル１３の巻設されたボビン１２を継鉄１５とカバー１８とで挟み込んだ構造であるので、ソレノイド１０部分の側寸法を安定させることができ、この側寸法を最小限とした上で、前記ベース１の側面の隅角部に面取りが施されている。したがって、最大限面取りすることができ、効果的である。
【００４８】
一方、前記アンプの故障などで、このスイッチＳＷを開放すると、その開放された分岐伝送路におけるスイッチＳＷから接続点までの部分がオープンスタブとなって高周波信号の漏れが生じ、インピーダンスマッチングなどへの悪影響を及ぼす。そこで本発明のパワースイッチャブル・コンバイナ・デバイダ５１では、接続点６０を中心として放射状に延びる各伝送路Ｋ０，Ｋ１〜Ｋ３において、分岐伝送路Ｋ１〜Ｋ３に設ける分岐用スイッチＳＷ１〜ＳＷ３に上述の面取りを施していることで、図１に示すように前記分岐用スイッチＳＷ１〜ＳＷ３を前記接続点６０により近接させることができる。これによって、上述の悪影響を最小限に止めている。なお、前記面取りは、スイッチの相互に隣接する面に形成されていればよく、４隅に形成されていなくてもよい。しかしながら、４隅に面取りを施すことで、スイッチの取付け方向を選ばなくてよくなり、組立て作業が容易である。
【００４９】
各スイッチＳＷの切換え制御は、制御回路基板５６から与えられる前記パルス状の電流によって行われる。前記制御回路基板５６は、コネクタ７０に入力される前記パワーアンプＡ１，Ａ２，Ａ３（図１２参照）のパワーが半分以下に低下したときに出力される故障信号や、監視ステーション等からの遠隔制御の信号などに応答して、前記パルス状の電流を出力する。そして、ラッチングリレーのスイッチＳＷによって、前記電流は、切換えを行う際に流れるだけであり、省電力である。
【００５０】
［実施の形態２］
図９は、本発明の実施の第２の形態に係るパワースイッチャブル・コンバイナ・デバイダ５１’の蓋５２を取外した状態での平面図であり、図１０はこのパワースイッチャブル・コンバイナ・デバイダ５１’の正面図であり、図１１は右側面から見た断面図である。このパワースイッチャブル・コンバイナ・デバイダ５１’は、前述のパワースイッチャブル・コンバイナ・デバイダ５１に類似し、対応する部分には同一の参照符号を付して示し、その説明を省略する。注目すべきは、このパワースイッチャブル・コンバイナ・デバイダ５１’では、基板５５’に形成される分岐伝送路が、Ｋ１，Ｋ２，Ｋ３，Ｋ４の４分岐となっていることである。このため、コネクタＪ４が追加され、そのコネクタピンＰ４が分岐伝送路Ｋ４に半田付けされるとともに、基板５５’に形成された挿通孔Ｈ４から基板表面側に突出した分岐用スイッチＳＷ４の端子も前記分岐伝送路Ｋ４に半田付けされる。
【００５１】
しかしながら、単一の伝送路Ｋ０’の屈曲方向が前記図１とは逆になっており、４分岐となっても、コネクタＪ０の取付け位置は同じで、共通の筐体５４を使用することができるようになっている。したがって、背面図は前記図３と同様で、省略している。
【００５２】
このように４分岐であっても、どのスタブパターンＳＴ１１，ＳＴ１２；ＳＴ２１，ＳＴ２２にスタブ用スイッチＳＷ１１，ＳＷ１２を設けるかによって、適応すべき周波数帯域のグループを変更できるようにすることができ、最小限のスイッチ構成で、該パワースイッチャブル・コンバイナ・デバイダ５１’を作製することができ、低コスト化を図ることができる。
【００５３】
また、接続点６０を中心として放射状に延びる各伝送路Ｋ０，Ｋ１〜Ｋ４において、分岐伝送路Ｋ１〜Ｋ４に設ける分岐用スイッチＳＷ１〜ＳＷ４に上述の面取りを施していることで、前記分岐用スイッチＳＷ１〜ＳＷ４を前記接続点６０により近接させることができる。
【００５４】
本発明のパワースイッチャブル・コンバイナ・デバイダ５１，５１’は、パワーアンプと組合わせることで、地上波デジタルテレビジョン放送や携帯電話などの高周波信号の無線中継装置に好適に実施することができる。
【図面の簡単な説明】
【００５５】
【図１】本発明の実施の第１の形態に係る高周波電力合成または分配器であるパワースイッチャブル・コンバイナ・デバイダの蓋を取外した状態での平面図である。
【図２】図１のパワースイッチャブル・コンバイナ・デバイダの正面図である。
【図３】図１のパワースイッチャブル・コンバイナ・デバイダの背面図である。
【図４】図１のパワースイッチャブル・コンバイナ・デバイダの右側面から見た断面図である。
【図５】スイッチＳＷの一構成例を示す縦断面図である。
【図６】図５の分解斜視図である。
【図７】前記スイッチのベースの構造を示す斜視図である。
【図８】前記スイッチのコンタクトの構造を示す正面図である。
【図９】本発明の実施の第２の形態に係るパワースイッチャブル・コンバイナ・デバイダの蓋を取外した状態での平面図である。
【図１０】図１０のパワースイッチャブル・コンバイナ・デバイダの正面図である。
【図１１】図１０のパワースイッチャブル・コンバイナ・デバイダの右側面から見た断面図である。
【図１２】地上波デジタルテレビジョン放送の中継局の一構成例を簡単に示すブロック図である。
【符号の説明】
【００５６】
１    ベース
２ａ，２ｂ    コンタクト端子
４Ａ    コンタクト
１０    ソレノイド
２０    ベースブロック
２０ａ，２０ｂ    端子部
５１，５１’    パワースイッチャブル・コンバイナ・デバイダ
５２    蓋
５３    基台
５４    筐体
５５，５５’    基板
５６    制御回路基板
５７    ＧＮＤパターン
５８    導電性プレート
６０    接続点
１０１  アンテナ
１０２  フィルタ
１０３  アンプ
１０４  デバイダ
１０５  コンバイナ・デバイダ
１０６  アンプユニット
１０７  スイッチャブル・コンバイナ
Ａ１，Ａ２，Ａ３    パワーアンプ
Ｃ１〜Ｃｎ    信号処理回路
Ｈ１〜Ｈ４；Ｈ１１，Ｈ１２；Ｈ２１，Ｈ２２    挿通孔
Ｊ０；Ｊ１〜Ｊ４    コネクタ
Ｋ０，Ｋ０’    単一の伝送路
Ｋ１〜Ｋ４    分岐伝送路
Ｐ０；Ｐ１〜Ｐ４    コネクタピン
ＳＴ１１，ＳＴ１２；ＳＴ２１，ＳＴ２２    スタブパターン
ＳＴ１１ａ，ＳＴ１１ｂ，ＳＴ１１ｃ，ＳＴ１１ｄ，ＳＴ１１ｅ  スタブパターンの部分
ＳＴ１２ａ，ＳＴ１２ｂ，ＳＴ１２ｃ，ＳＴ１２ｄ，ＳＴ１２ｅ  スタブパターンの部分
ＳＴ２１ａ，ＳＴ２１ｂ，ＳＴ２１ｃ，ＳＴ２１ｄ，ＳＴ２１ｅ  スタブパターンの部分
ＳＴ２２ａ，ＳＴ２２ｂ，ＳＴ２２ｃ，ＳＴ２２ｄ，ＳＴ２２ｅ  スタブパターンの部分
ＳＷ１〜ＳＷ４    分岐用スイッチ
ＳＷ１１，ＳＷ１２    スタブ用スイッチ
【図１】
2005277851.tif 000004
【図２】
2005277851.tif 000005
【図３】
2005277851.tif 000006
【図４】
2005277851.tif 000007
【図５】
2005277851.tif 000008
【図６】
2005277851.tif 000009
【図７】
2005277851.tif 000010
【図８】
2005277851.tif 000011
【図９】
2005277851.tif 000012
【図１０】
2005277851.tif 000013
【図１１】
2005277851.tif 000014
【図１２】
2005277851.tif 000015